(57)【要約】【課題】システム全体の伝送効率を大幅に向上させる。【解決手段】基地局装置と通信する端末装置であって、前記基地局装置から通知される制御情報に基づいて、第１の信号波形または第２の信号波形を用いて上りリンクチャネルの送信を行う無線送信部を備え、前記第１の信号波形はマルチキャリア信号であり、前記第２の信号波形はシングルキャリア信号である、端末装置。【選択図】図１２
2018074488.tif 000002
【特許請求の範囲】
【請求項１】
基地局装置と通信する端末装置であって、
前記基地局装置から通知される制御情報に基づいて、第１の信号波形または第２の信号波形を用いて上りリンクチャネルの送信を行う無線送信部を備え、
前記第１の信号波形はマルチキャリア信号であり、前記第２の信号波形はシングルキャリア信号である、端末装置。
【請求項２】
前記制御情報は、前記上りリンクチャネルの送信に用いられるフレーム構成に関する情報であり、
前記無線送信部は、前記フレーム構成に基づいて前記第１の信号波形または前記第２の信号波形を決める、請求項１に記載の端末装置。
【請求項３】
前記制御情報は、前記上りリンクチャネルの送信に用いられるサブキャリア間隔に関する情報であり、
前記無線送信部は、前記サブキャリア間隔に基づいて前記第１の信号波形または前記第２の信号波形を決める、請求項１に記載の端末装置。
【請求項４】
前記制御情報は、前記上りリンクチャネルの送信における空間多重に関する送信モードに関する情報であり、
前記無線送信部は、前記空間多重に関する送信モードに基づいて前記第１の信号波形または前記第２の信号波形を決める、請求項１に記載の端末装置。
【請求項５】
前記制御情報は、前記上りリンクチャネルの送信における送信時間間隔の長さに関する情報であり、
前記無線送信部は、前記送信時間間隔の長さに基づいて前記第１の信号波形または前記第２の信号波形を決める、請求項１に記載の端末装置。
【請求項６】
前記制御情報は、前記上りリンクチャネルの送信におけるスケジュールに関する送信モードに関する情報であり、
前記無線送信部は、前記スケジュールに関する送信モードに基づいて前記第１の信号波形または前記第２の信号波形を決める、請求項１に記載の端末装置。
【請求項７】
前記制御情報は、前記上りリンクチャネルの送信に用いられる周波数帯に関する情報であり、
前記無線送信部は、前記周波数帯に基づいて前記第１の信号波形または前記第２の信号波形を決める、請求項１に記載の端末装置。
【請求項８】
前記制御情報は、前記上りリンクチャネルに対する信号波形が第１の信号波形または第２の信号波形であるかを示す信号波形通知情報であり、
前記信号波形通知情報は、前記上りリンクチャネルの割り当てに用いられる物理層の割り当て情報に含まれて通知され、
前記無線送信部は、前記信号波形通知情報に基づいて前記第１の信号波形または前記第２の信号波形を決める、請求項１に記載の端末装置。
【請求項９】
前記制御情報は、前記上りリンクチャネルの割り当てに用いられる物理層の割り当て情報であり、
前記無線送信部は、前記割り当て情報のフォーマットに基づいて前記第１の信号波形または前記第２の信号波形を決める、請求項１に記載の端末装置。
【請求項１０】
前記制御情報は、前記上りリンクチャネルの割り当てに用いられる物理層の割り当て情報であり、
前記無線送信部は、前記割り当て情報が検出されるサーチスペースに基づいて前記第１の信号波形または前記第２の信号波形を決める、請求項１に記載の端末装置。
【請求項１１】
前記無線送信部は、前記上りリンクチャネルの送信に用いられるフレームの種類に基づいて前記第１の信号波形または前記第２の信号波形を決める、請求項１に記載の端末装置。
【請求項１２】
端末装置と通信する基地局装置であって、
前記端末装置に通知する制御情報に基づいて、第１の信号波形または第２の信号波形を用いて送信される上りリンクチャネルの受信を行う無線受信部を備え、
前記第１の信号波形はマルチキャリア信号であり、前記第２の信号波形はシングルキャリア信号である、基地局装置。
【請求項１３】
基地局装置と通信する端末装置で用いられる通信方法であって、
前記基地局装置から通知される制御情報に基づいて、第１の信号波形または第２の信号波形を用いて上りリンクチャネルの送信を行うステップを有し、
前記第１の信号波形はマルチキャリア信号であり、前記第２の信号波形はシングルキャリア信号である、通信方法。
【請求項１４】
端末装置と通信する基地局装置で用いられる通信方法であって、
前記端末装置に通知する制御情報に基づいて、第１の信号波形または第２の信号波形を用いて送信される上りリンクチャネルの受信を行うステップを有し、
前記第１の信号波形はマルチキャリア信号であり、前記第２の信号波形はシングルキャリア信号である、通信方法。
【発明の詳細な説明】
【技術分野】
【０００１】
本開示は、端末装置、基地局装置および通信方法に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はＬＴＥにおいてｅＮｏｄｅＢ（evolved  NodeB）およびＮＲにおいてｇＮｏｄｅＢ、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【０００４】
次に、ＬＴＥまたはＮＲのような無線通信システムにおける信号波形（Waveform）について説明する。ＬＴＥでは、下りリンク通信においてＣＰ−ＯＦＤＭ（Cyclic  Prefix  -  Orthogonal  Frequency  Division  Multiplexing）が用いられ、上りリンク通信においてＳＣ−ＦＤＭＡ（Single  Carrier  -  Frequency  Division  Multiple  Access）が用いられる。ＮＲでは、下りリンク通信においてＣＰ−ＯＦＤＭが用いられるが、上りリンク通信ではＣＰ−ＯＦＤＭおよびＳＣ−ＦＤＭＡの両方がサポートされる。ＮＲにおける上りリンク通信の信号波形の詳細は、非特許文献２に開示されている。
【先行技術文献】
【非特許文献】
【０００５】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V0.3.0  (2016-03).
【非特許文献２】Coverage  analysis  of  DFT-s-OFDM  and  OFDM  with  low  PAPR  techniques,  Qualcomm  Incorporated,  R1-1610113,  3GPP  TSG  RAN  WG1  Meeting  #86bis,  October  2016.
【発明の概要】
【発明が解決しようとする課題】
【０００６】
既に説明したように、ＮＲでは、様々なユースケースを柔軟にサポートするため、ＬＴＥに比べて、送信信号、フレーム構成、およびチャネル構成などが拡張される可能性が高い。そのため、複数の信号波形をサポートするＮＲにおいて、好適な信号波形の制御が必要である。
【０００７】
本開示は、上記問題を鑑みてなされたものであり、その目的は、基地局装置と端末装置が通信する通信システムにおいて、様々なユースケースに応じて柔軟に設計することにより、システム全体の伝送効率を大幅に向上させることができる基地局装置、端末装置、通信システム、通信方法および集積回路を提供することにある。
【課題を解決するための手段】
【０００８】
本開示によれば、基地局装置と通信する端末装置であって、前記基地局装置から通知される制御情報に基づいて、第１の信号波形または第２の信号波形を用いて上りリンクチャネルの送信を行う無線送信部を備え、前記第１の信号波形はマルチキャリア信号であり、前記第２の信号波形はシングルキャリア信号である、端末装置が提供される。
【０００９】
また、本開示によれば、端末装置と通信する基地局装置であって、前記端末装置に通知する制御情報に基づいて、第１の信号波形または第２の信号波形を用いて送信される上りリンクチャネルの受信を行う無線受信部を備え、前記第１の信号波形はマルチキャリア信号であり、前記第２の信号波形はシングルキャリア信号である、基地局装置が提供される。
【００１０】
また、本開示によれば、基地局装置と通信する端末装置で用いられる通信方法であって、前記基地局装置から通知される制御情報に基づいて、第１の信号波形または第２の信号波形を用いて上りリンクチャネルの送信を行うステップを有し、前記第１の信号波形はマルチキャリア信号であり、前記第２の信号波形はシングルキャリア信号である、通信方法が提供される。
【００１１】
また、本開示によれば、端末装置と通信する基地局装置で用いられる通信方法であって、前記端末装置に通知する制御情報に基づいて、第１の信号波形または第２の信号波形を用いて送信される上りリンクチャネルの受信を行うステップを有し、前記第１の信号波形はマルチキャリア信号であり、前記第２の信号波形はシングルキャリア信号である、通信方法が提供される。
【発明の効果】
【００１２】
以上説明したように本開示によれば、システム全体の伝送効率を大幅に向上させることができる。
【００１３】
なお、上記の効果は必ずしも限定されず、上記の効果とともに、または上記の効果に代えて、本明細書に示されたいずれかの効果、または本明細書から把握され得る他の効果が奏されてもよい。
【図面の簡単な説明】
【００１４】
【図１】図１は、本実施形態におけるコンポーネントキャリアの設定の一例を示す図である。
【図２】図２は、本実施形態におけるコンポーネントキャリアの設定の一例を示す図である。
【図３】図３は、本実施形態におけるＬＴＥの下りリンクサブフレームの一例を示す図である。
【図４】図４は、本実施形態におけるＬＴＥの上りリンクサブフレームの一例を示す図である。
【図５】図５は、本実施形態におけるＮＲセルにおける送信信号に関するパラメータセットの一例を示す図である。
【図６】図６は、本実施形態におけるＮＲの下りリンクサブフレームの一例を示す図である。
【図７】図７は、本実施形態におけるＮＲの上りリンクサブフレームの一例を示す図である。
【図８】図８は、本実施形態の基地局装置の構成を示す概略ブロック図である。
【図９】図９は、本実施形態の端末装置の構成を示す概略ブロック図である。
【図１０】図１０は、本実施形態におけるＮＲのフレーム構成の一例を示す。
【図１１】図１１は、本実施形態の無線受信部の構成を示すブロック図である。
【図１２】図１２は、本実施形態の無線送信部の構成を示すブロック図である。
【図１３】図１３は、本実施形態の第１の信号波形受信部の構成を示すブロック図である。
【図１４】図１４は、本実施形態の第２の信号波形受信部の構成を示すブロック図である。
【図１５】図１５は、本実施形態の第１の信号波形送信部の構成を示すブロック図である。
【図１６】図１６は、本実施形態の第２の信号波形送信部の構成を示すブロック図である。
【図１７】図１７は、本実施形態の上りリンク信号波形の準静的な制御方法に関するシグナリングの一例を示す図である。
【図１８】図１８は、本実施形態の上りリンク信号波形の動的な制御方法に関するシグナリングの一例を示す図である。
【図１９】図１９は、ｅＮＢの概略的な構成の第１の例を示すブロック図である。
【図２０】図２０は、ｅＮＢの概略的な構成の第２の例を示すブロック図である。
【図２１】図２１は、スマートフォンの概略的な構成の一例を示すブロック図である。
【図２２】図２２は、カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００１６】
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インターフェースの手段によって互いに接続できる。また、基地局装置１は、Ｓ１インターフェースの手段によってＥＰＣ（Evolved  Packet  Core）に接続できる。さらに、基地局装置１は、Ｓ１−ＭＭＥインターフェースの手段によってＭＭＥ（Mobility  Management  Entity）に接続でき、Ｓ１−Ｕインターフェースの手段によってＳ−ＧＷ（Serving  Gateway）に接続できる。Ｓ１インターフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００１７】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００１８】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００１９】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２０】
基地局装置１および端末装置２は、下りリンク、上りリンクおよび／またはサイドリンクにおいて、１つ以上のセルの集合を用いる通信をサポートできる。複数のセルの集合は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２１】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２２】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２３】
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２４】
サブフレームは、下りリンクサブフレーム、上りリンクサブフレーム、スペシャルサブフレームおよびサイドリンクサブフレームなどを含む。
【００２５】
下りリンクサブフレームは下りリンク送信のために予約されるサブフレームである。上りリンクサブフレームは上りリンク送信のために予約されるサブフレームである。スペシャルサブフレームは３つのフィールドから構成される。３つのフィールドは、ＤｗＰＴＳ（Downlink  Pilot  Time  Slot）、ＧＰ（Guard  Period）、およびＵｐＰＴＳ（Uplink  Pilot  Time  Slot）を含む。ＤｗＰＴＳ、ＧＰ、およびＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信および上りリンク送信が行われないフィールドである。なお、スペシャルサブフレームは、ＤｗＰＴＳおよびＧＰのみによって構成されてもよいし、ＧＰおよびＵｐＰＴＳのみによって構成されてもよい。スペシャルサブフレームは、ＴＤＤにおいて下りリンクサブフレームと上りリンクサブフレームとの間に配置され、下りリンクサブフレームから上りリンクサブフレームに切り替えるために用いられる。サイドリンクサブフレームは、サイドリンク通信のために予約または設定されるサブフレームである。サイドリンクは、端末装置間の近接直接通信および近接直接検出のために用いられる。
【００２６】
単一の無線フレームは、下りリンクサブフレーム、上りリンクサブフレーム、スペシャルサブフレームおよび／またはサイドリンクサブフレームから構成される。また、単一の無線フレームは、下りリンクサブフレーム、上りリンクサブフレーム、スペシャルサブフレームまたはサイドリンクサブフレームのみで構成されてもよい。
【００２７】
複数の無線フレーム構成がサポートされる。無線フレーム構成は、フレーム構成タイプで規定される。フレーム構成タイプ１は、ＦＤＤのみに適用できる。フレーム構成タイプ２は、ＴＤＤのみに適用できる。フレーム構成タイプ３は、ＬＡＡ（Licensed  Assisted  Access）セカンダリーセルの運用のみに適用できる。
【００２８】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、およびスペシャルサブフレームのいずれかに対応する。サブフレーム０、サブフレーム５およびＤｗＰＴＳは常に下りリンク送信のために予約される。ＵｐＰＴＳおよびそのスペシャルサブフレームの直後のサブフレームは常に上りリンク送信のために予約される。
【００２９】
フレーム構成タイプ３において、１つの無線フレーム内の１０のサブフレームが下りリンク送信のために予約される。端末装置２は、ＰＤＳＣＨまたは検出信号が送信されないサブフレームを空のサブフレームとして扱うことができる。端末装置２は、所定の信号、チャネルおよび／または下りリンク送信があるサブフレームで検出されない限り、そのサブフレームにいかなる信号および／またはチャネルも存在しないと想定する。下りリンク送信は、１つまたは複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【００３０】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレームおよびサイドリンクサブフレームのいずれかに対応するようにしてもよい。
【００３１】
基地局装置１は、スペシャルサブフレームのＤｗＰＴＳにおいて、下りリンク物理チャネルおよび下りリンク物理信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、上りリンク物理チャネルおよび上りリンク物理信号を送信してもよい。端末装置２は、スペシャルサブフレームのＵｐＰＴＳにおいて、一部の上りリンク物理チャネルおよび上りリンク物理信号の送信を制限できる。
【００３２】
なお、１つの送信における時間間隔はＴＴＩ（Transmission  Time  Interval）と呼称され、ＬＴＥにおいて、１ｍｓ（１サブフレーム）を１ＴＴＩと定義される。
【００３３】
＜本実施形態におけるＬＴＥのフレーム構成＞
図３は、本実施形態におけるＬＴＥの下りリンクサブフレームの一例を示す図である。図３に示される図は、ＬＴＥの下りリンクリソースグリッドとも呼称される。基地局装置１は、端末装置２への下りリンクサブフレームにおいて、ＬＴＥの下りリンク物理チャネルおよび／またはＬＴＥの下りリンク物理信号を送信できる。端末装置２は、基地局装置１からの下りリンクサブフレームにおいて、ＬＴＥの下りリンク物理チャネルおよび／またはＬＴＥの下りリンク物理信号を受信できる。
【００３４】
図４は、本実施形態におけるＬＴＥの上りリンクサブフレームの一例を示す図である。図４に示される図は、ＬＴＥの上りリンクリソースグリッドとも呼称される。端末装置２は、基地局装置１への上りリンクサブフレームにおいて、ＬＴＥの上りリンク物理チャネルおよび／またはＬＴＥの上りリンク物理信号を送信できる。基地局装置１は、端末装置２からの上りリンクサブフレームにおいて、ＬＴＥの上りリンク物理チャネルおよび／またはＬＴＥの上りリンク物理信号を受信できる。
【００３５】
本実施形態において、ＬＴＥの物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰまたは拡張ＣＰである。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３６】
リソースブロックは、ある物理チャネル（ＰＤＳＣＨまたはＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００３７】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、および、信号波形などを含む。
【００３８】
すなわち、ＬＴＥセルでは、下りリンク信号および上りリンク信号は、それぞれ所定の時間長（例えば、サブフレーム）において、１つの所定のパラメータを用いて生成される。換言すると、端末装置２は、基地局装置１から送信される下りリンク信号、および、基地局装置１に送信する上りリンク信号が、それぞれ所定の時間長において、１つの所定のパラメータで生成される、と想定する。また、基地局装置１は、端末装置２に送信する下りリンク信号、および、端末装置２から送信される上りリンク信号が、それぞれ所定の時間長において、１つの所定のパラメータで生成されるように設定する。
【００３９】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）および／またはＳＤＭ（Spatial  Division  Multiplexing）などを含む。
【００４０】
ＮＲセルに設定される所定のパラメータの組み合わせは、パラメータセットとして、複数種類を予め規定できる。
【００４１】
図５は、ＮＲセルにおける送信信号に関するパラメータセットの一例を示す図である。図５の例では、パラメータセットに含まれる送信信号に関するパラメータは、サブキャリア間隔、ＮＲセルにおけるリソースブロックあたりのサブキャリア数、サブフレームあたりのシンボル数、および、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
【００４２】
ＮＲセルにおける送信信号に関するパラメータセットは、下りリンクおよび上りリンクでそれぞれ個別に規定することができる。また、ＮＲセルにおける送信信号に関するパラメータセットは、下りリンクおよび上りリンクでそれぞれ独立に設定できる。
【００４３】
図６は、本実施形態におけるＮＲの下りリンクサブフレームの一例を示す図である。図６の例では、パラメータセット１、パラメータセット０およびパラメータセット２を用いて生成される信号が、セル（システム帯域幅）において、ＦＤＭされる。図６に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００４４】
図７は、本実施形態におけるＮＲの上りリンクサブフレームの一例を示す図である。図７の例では、パラメータセット１、パラメータセット０およびパラメータセット２を用いて生成される信号が、セル（システム帯域幅）において、ＦＤＭされる。図６に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００４５】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
アンテナポートはアンテナポート番号によって特定または識別される。例えば、アンテナポート０〜３は、ＣＲＳが送信されるアンテナポートである。すなわち、アンテナポート０〜３で送信されるＰＤＳＣＨは、アンテナポート０〜３に対応するＣＲＳで復調できる。
【００４６】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００４７】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００４８】
＜本実施形態における物理チャネルおよび物理信号＞
本実施形態において、物理チャネルおよび物理信号が用いられる。
物理チャネルは、下りリンク物理チャネル、上りリンク物理チャネルおよびサイドリンク物理チャネルを含む。物理信号は、下りリンク物理信号、上りリンク物理信号およびサイドリンク物理信号を含む。
【００４９】
ＬＴＥにおける物理チャネルおよび物理信号は、それぞれＬＴＥ物理チャネルおよびＬＴＥ物理信号とも呼称される。ＮＲにおける物理チャネルおよび物理信号は、それぞれＮＲ物理チャネルおよびＮＲ物理信号とも呼称される。ＬＴＥ物理チャネルおよびＮＲ物理チャネルは、それぞれ異なる物理チャネルとして定義できる。ＬＴＥ物理信号およびＮＲ物理信号は、それぞれ異なる物理信号として定義できる。本実施形態の説明において、ＬＴＥ物理チャネルおよびＮＲ物理チャネルは単に物理チャネルとも呼称され、ＬＴＥ物理信号およびＮＲ物理信号は単に物理信号とも呼称される。すなわち、物理チャネルに対する説明は、ＬＴＥ物理チャネルおよびＮＲ物理チャネルのいずれに対しても適用できる。物理信号に対する説明は、ＬＴＥ物理信号およびＮＲ物理信号のいずれに対しても適用できる。
【００５０】
＜本実施形態におけるＮＲ物理チャネルおよびＮＲ物理信号＞
ＬＴＥにおける物理チャネルおよび物理信号に対する説明は、それぞれＮＲ物理チャネルおよびＮＲ物理信号に対しても適用できる。ＮＲ物理チャネルおよびＮＲ物理信号は、以下のように呼称される。
【００５１】
ＮＲ下りリンク物理チャネルは、ＮＲ−ＰＢＣＨ、ＮＲ−ＰＣＦＩＣＨ、ＮＲ−ＰＨＩＣＨ、ＮＲ−ＰＤＣＣＨ、ＮＲ−ＥＰＤＣＣＨ、ＮＲ−ＭＰＤＣＣＨ、ＮＲ−Ｒ−ＰＤＣＣＨ、ＮＲ−ＰＤＳＣＨ、および、ＮＲ−ＰＭＣＨなどを含む。
【００５２】
ＮＲ下りリンク物理信号は、ＮＲ−ＳＳ、ＮＲ−ＤＬ−ＲＳおよびＮＲ−ＤＳなどを含む。ＮＲ−ＳＳは、ＮＲ−ＰＳＳおよびＮＲ−ＳＳＳなどを含む。ＮＲ−ＲＳは、ＮＲ−ＣＲＳ、ＮＲ−ＰＤＳＣＨ−ＤＭＲＳ、ＮＲ−ＥＰＤＣＣＨ−ＤＭＲＳ、ＮＲ−ＰＲＳ、ＮＲ−ＣＳＩ−ＲＳ、およびＮＲ−ＴＲＳなどを含む。
【００５３】
ＮＲ上りリンク物理チャネルは、ＮＲ−ＰＵＳＣＨ、ＮＲ−ＰＵＣＣＨ、およびＮＲ−ＰＲＡＣＨなどを含む。
【００５４】
ＮＲ上りリンク物理信号は、ＮＲ−ＵＬ−ＲＳを含む。ＮＲ−ＵＬ−ＲＳは、ＮＲ−ＵＬ−ＤＭＲＳおよびＮＲ−ＳＲＳなどを含む。
【００５５】
ＮＲサイドリンク物理チャネルは、ＮＲ−ＰＳＢＣＨ、ＮＲ−ＰＳＣＣＨ、ＮＲ−ＰＳＤＣＨ、およびＮＲ−ＰＳＳＣＨなどを含む。
【００５６】
＜本実施形態における下りリンク物理チャネル＞
ＰＤＣＣＨおよびＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）および上りリンクグラント（uplink  grant）を含む。下りリンクグラントは、下りリンクアサインメント（downlink  assignment）または下りリンク割り当て（downlink  allocation）とも称する。
【００５７】
ＰＤＣＣＨは、連続する１つまたは複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００５８】
ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００５９】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００６０】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定または設定できる識別子である。ＲＮＴＩは、仕様で予め規定される識別子、セルに固有の情報として設定される識別子、端末装置２に固有の情報として設定される識別子、または、端末装置２に属するグループに固有の情報として設定される識別子である。例えば、端末装置２は、ＰＤＣＣＨまたはＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【００６１】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００６２】
ＰＭＣＨは、マルチキャストデータ（Multicast  Channel:  MCH）を送信するために用いられる。
【００６３】
ＰＤＣＣＨ領域において、複数のＰＤＣＣＨが周波数、時間、および／または、空間多重されてもよい。ＥＰＤＣＣＨ領域において、複数のＥＰＤＣＣＨが周波数、時間、および／または、空間多重されてもよい。ＰＤＳＣＨ領域において、複数のＰＤＳＣＨが周波数、時間、および／または、空間多重されてもよい。ＰＤＣＣＨ、ＰＤＳＣＨおよび／またはＥＰＤＣＣＨは周波数、時間、および／または、空間多重されてもよい。
【００６４】
＜本実施形態における下りリンク物理信号＞
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００６５】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００６６】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００６７】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００６８】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００６９】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００７０】
＜本実施形態における制御チャネルのための物理リソース＞
リソースエレメントグループ（ＲＥＧ：Resource  Element  Group）は、リソースエレメントと制御チャネルのマッピングを定義するために用いられる。例えば、ＲＥＧは、ＰＤＣＣＨ、ＰＨＩＣＨ、またはＰＣＦＩＣＨのマッピングに用いられる。ＲＥＧは、同一のＯＦＤＭシンボル内であり、同一のリソースブロック内において、ＣＲＳのために用いられない４つの連続したリソースエレメントで構成される。また、ＲＥＧは、あるサブフレーム内の１番目のスロットにおける１番目のＯＦＤＭシンボルから４番目のＯＦＤＭシンボルの中で構成される。
【００７１】
拡張リソースエレメントグループ（ＥＲＥＧ：Enhanced  Resource  Element  Group）は、リソースエレメントと拡張制御チャネルのマッピングを定義するために用いられる。例えば、ＥＲＥＧは、ＥＰＤＣＣＨのマッピングに用いられる。１つのリソースブロックペアは１６のＥＲＥＧで構成される。それぞれのＥＲＥＧはリソースブロックペア毎に０から１５の番号が付される。それぞれのＥＲＥＧは、１つのリソースブロックペアにおいて、ＥＰＤＣＣＨに関連付けられたＤＭ−ＲＳのために用いられるリソースエレメントを除いた９つのリソースエレメントで構成される。
【００７２】
＜本実施形態における基地局装置１の構成例＞
図８は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００７３】
既に説明したように、基地局装置１は、１つ以上のＲＡＴをサポートできる。図８に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図８に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００７４】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００７５】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００７６】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００７７】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００７８】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００７９】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００８０】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００８１】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００８２】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００８３】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域信号の抽出を行う。
【００８４】
また、本実施形態では、無線受信部１０５７は、複数の上りリンク信号波形をサポートすることができる。その詳細は後述する。
【００８５】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００８６】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００８７】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００８８】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【００８９】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【００９０】
符号化部１０７１は、制御部１０３から入力されたＨＡＲＱインディケータ（ＨＡＲＱ−ＡＣＫ）、下りリンク制御情報、および下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【００９１】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【００９２】
＜本実施形態における端末装置２の構成例＞
図９は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【００９３】
既に説明したように、端末装置２は、１つ以上のＲＡＴをサポートできる。図９に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図９に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【００９４】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【００９５】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【００９６】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【００９７】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００９８】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００９９】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【０１００】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【０１０１】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【０１０２】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【０１０３】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域の信号の抽出を行う。
【０１０４】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１０５】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【０１０６】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【０１０７】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【０１０８】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【０１０９】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１１０】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１１１】
また、本実施形態では、無線送信部２０７７は、複数の上りリンク信号波形をサポートすることができる。その詳細は後述する。
【０１１２】
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【０１１３】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１１４】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１１５】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１１６】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１１７】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１１８】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１１９】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１２０】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１２１】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１２２】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０１２３】
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１２４】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１２５】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１２６】
アグリゲーションレベル毎のサーチスペースはＥＰＤＣＣＨ候補のセットによって定義される。ＥＰＤＣＣＨのそれぞれは、１つ以上のＥＣＣＥ（Enhanced  Control  Channel  Element）の集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６または３２である。
【０１２７】
ＰＤＣＣＨ候補の数またはＥＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１２８】
それぞれのＥＣＣＥは、複数のＥＲＥＧ（Enhanced  resource  element  group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧとして定義されない。
【０１２９】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１３０】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
【０１３１】
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセットまたはＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１３２】
基地局装置１は、端末装置２に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１３３】
＜本実施形態におけるCAとDCの詳細＞
端末装置２は複数のセルが設定され、マルチキャリア送信を行うことができる。端末装置２が複数のセルを用いる通信は、ＣＡ（キャリアアグリゲーション）またはＤＣ（デュアルコネクティビティ）と称される。本実施形態に記載の内容は、端末装置２に対して設定される複数のセルのそれぞれまたは一部に適用できる。端末装置２に設定されるセルを、サービングセルとも称する。
【０１３４】
ＣＡおいて、設定される複数のサービングセルは、１つのプライマリーセル（PCell:  Primary  Cell）と１つ以上のセカンダリーセル（SCell:  Secondary  Cell）とを含む。ＣＡをサポートしている端末装置２に対して、１つのプライマリーセルと１つ以上のセカンダリーセルが設定されうる。
【０１３５】
プライマリーセルは、初期コネクション構築（initial  connection  establishment）手続きが行なわれたサービングセル、コネクション再構築（connection  re-establishment）手続きを開始したサービングセル、または、ハンドオーバ手続きにおいてプライマリーセルと指示されたセルである。プライマリーセルは、プライマリー周波数でオペレーションする。セカンダリーセルは、コネクションの構築または再構築以降に設定されうる。セカンダリーセルは、セカンダリー周波数でオペレーションする。なお、コネクションは、ＲＲＣコネクションとも称される。
【０１３６】
ＤＣは、少なくとも２つの異なるネットワークポイントから提供される無線リソースを所定の端末装置２が消費するオペレーションである。ネットワークポイントは、マスター基地局装置（MeNB:  Master  eNB）とセカンダリー基地局装置（SeNB:  Secondary  eNB）である。デュアルコネクティビティは、端末装置２が、少なくとも２つのネットワークポイントでＲＲＣ接続を行なうことである。デュアルコネクティビティにおいて、２つのネットワークポイントは、非理想的バックホール（non-ideal  backhaul）によって接続されてもよい。
【０１３７】
ＤＣにおいて、少なくともＳ１−ＭＭＥ（Mobility  Management  Entity）に接続され、コアネットワークのモビリティアンカーの役割を果たす基地局装置１をマスター基地局装置と称される。また、端末装置２に対して追加の無線リソースを提供するマスター基地局装置ではない基地局装置１をセカンダリー基地局装置と称される。マスター基地局装置に関連されるサービングセルのグループは、マスターセルグループ（MCG:  Master  Cell  Group）とも呼称される。セカンダリー基地局装置に関連されるサービングセルのグループは、セカンダリーセルグループ（SCG:  Secondary  Cell  Group）とも呼称される。なお、サービングセルのグループを、セルグループ（ＣＧ）と呼称される。
【０１３８】
ＤＣにおいて、プライマリーセルは、ＭＣＧに属する。また、ＳＣＧにおいて、プライマリーセルに相当するセカンダリーセルをプライマリーセカンダリーセル（PSCell:  Primary  Secondary  Cell）と称する。ＰＳＣｅｌｌ（ｐＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳまたはＵＳＳとは異なるサーチスペースを用いて、ＰＤＣＣＨ送信を行なう機能がサポートされてもよい。また、ＰＳＣｅｌｌは、常にアクティベーションの状態であってもよい。また、ＰＳＣｅｌｌは、ＰＵＣＣＨを受信できるセルである。
【０１３９】
ＤＣにおいて、無線ベアラ（データ無線ベアラ（DRB:  Date  Radio  Bearer）および／またはシグナリング無線ベアラ（SRB:  Signaling  Radio  Bearer））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。すなわち、ＭＣＧのフレーム境界とＳＣＧのフレーム境界が一致しなくてもよい。ＭＣＧ（ＰＣｅｌｌ）とＳＣＧ（ＰＳＣｅｌｌ）に対して、複数のタイミング調整のためのパラメータ（TAG:  Timing  Advance  Group）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨおよび／またはＰＵＳＣＨを用いた送信方法はそれぞれのセルグループで適用される。
【０１４０】
ＰＵＣＣＨおよびＰＢＣＨ（ＭＩＢ）は、ＰＣｅｌｌまたはＰＳＣｅｌｌのみで送信される。また、ＰＲＡＣＨは、ＣＧ内のセル間で複数のＴＡＧ（Timing  Advance  Group）が設定されない限り、ＰＣｅｌｌまたはＰＳＣｅｌｌのみで送信される。
【０１４１】
ＰＣｅｌｌまたはＰＳＣｅｌｌでは、ＳＰＳ（Semi-Persistent  Scheduling）やＤＲＸ（Discontinuous  Transmission）を行ってもよい。セカンダリーセルでは、同じセルグループのＰＣｅｌｌまたはＰＳＣｅｌｌと同じＤＲＸを行ってもよい。
【０１４２】
セカンダリーセルにおいて、ＭＡＣの設定に関する情報／パラメータは、基本的に、同じセルグループのＰＣｅｌｌまたはＰＳＣｅｌｌと共有している。一部のパラメータは、セカンダリーセル毎に設定されてもよい。一部のタイマーやカウンタが、ＰＣｅｌｌまたはＰＳＣｅｌｌのみに対して適用されてもよい。
【０１４３】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセルおよびＦＤＤが適用されるセルのいずれか一方に対して本開示を適用することができる。
【０１４４】
端末装置２は、端末装置２によってＣＡおよび／またはＤＣがサポートされているバンド組み合わせを示す情報（supportedBandCombination）を、基地局装置１に送信する。端末装置２は、バンド組み合わせのそれぞれに対して、異なる複数のバンドにおける前記複数のサービングセルにおける同時送信および受信をサポートしているかどうかを指示する情報を、基地局装置１に送信する。
【０１４５】
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１４６】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１４７】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１４８】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１４９】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１５０】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１５１】
＜本実施形態におけるＨＡＲＱ＞
本実施形態において、ＨＡＲＱは様々な特徴を有する。ＨＡＲＱはトランスポートブロックを送信および再送する。ＨＡＲＱにおいて、所定数のプロセス（ＨＡＲＱプロセス）が用いられ（設定され）、プロセスのそれぞれはストップアンドウェイト方式で独立に動作する。
【０１５２】
下りリンクにおいて、ＨＡＲＱは非同期であり、適応的に動作する。すなわち、下りリンクにおいて、再送は常にＰＤＣＣＨを通じてスケジューリングされる。下りリンク送信に対応する上りリンクＨＡＲＱ−ＡＣＫ（応答情報）はＰＵＣＣＨまたはＰＵＳＣＨで送信される。下りリンクにおいて、ＰＤＣＣＨは、そのＨＡＲＱプロセスを示すＨＡＲＱプロセス番号、および、その送信が初送か再送かを示す情報を通知する。
【０１５３】
上りリンクにおいて、ＨＡＲＱは同期または非同期に動作する。上りリンク送信に対応する下りリンクＨＡＲＱ−ＡＣＫ（応答情報）はＰＨＩＣＨで送信される。上りリンクＨＡＲＱにおいて、端末装置の動作は、その端末装置によって受信されるＨＡＲＱフィードバックおよび／またはその端末装置によって受信されるＰＤＣＣＨに基づいて決まる。例えば、ＰＤＣＣＨは受信されず、ＨＡＲＱフィードバックがＡＣＫである場合、端末装置は送信（再送）を行わず、ＨＡＲＱバッファ内のデータを保持する。その場合、ＰＤＣＣＨが再送を再開するために送信されるかもしれない。また、例えば、ＰＤＣＣＨは受信されず、ＨＡＲＱフィードバックがＮＡＣＫである場合、端末装置は所定の上りリンクサブフレームで非適応的に再送を行う。また、例えば、ＰＤＣＣＨが受信された場合、ＨＡＲＱフィードバックの内容に関わらず、端末装置はそのＰＤＣＣＨで通知される内容に基づいて、送信または再送を行う。
【０１５４】
なお、上りリンクにおいて、所定の条件（設定）を満たした場合、ＨＡＲＱは非同期のみで動作するようにしてもよい。すなわち、下りリンクＨＡＲＱ−ＡＣＫは送信されず、上りリンクにおける再送は常にＰＤＣＣＨを通じてスケジューリングされてもよい。
【０１５５】
ＨＡＲＱ−ＡＣＫ報告において、ＨＡＲＱ−ＡＣＫは、ＡＣＫ、ＮＡＣＫ、またはＤＴＸを示す。ＨＡＲＱ−ＡＣＫがＡＣＫである場合、そのＨＡＲＱ−ＡＣＫに対応するトランスポートブロック（コードワード、チャネル）は正しく受信（デコード）できたことを示す。ＨＡＲＱ−ＡＣＫがＮＡＣＫである場合、そのＨＡＲＱ−ＡＣＫに対応するトランスポートブロック（コードワード、チャネル）は正しく受信（デコード）できなかったことを示す。ＨＡＲＱ−ＡＣＫがＤＴＸである場合、そのＨＡＲＱ−ＡＣＫに対応するトランスポートブロック（コードワード、チャネル）は存在しない（送信されていない）ことを示す。
【０１５６】
下りリンクおよび上りリンクのそれぞれにおいて、所定数のＨＡＲＱプロセスが設定（規定）される。例えば、ＦＤＤにおいて、サービングセル毎に最大８つのＨＡＲＱプロセスが用いられる。また、例えば、ＴＤＤにおいて、ＨＡＲＱプロセスの最大数は、上りリンク／下りリンク設定によって決定される。ＨＡＲＱプロセスの最大数は、ＲＴＴ（Round  Trip  Time）に基づいて決定されてもよい。例えば、ＲＴＴが８ＴＴＩである場合、ＨＡＲＱプロセスの最大数は８にすることができる。
【０１５７】
本実施形態において、ＨＡＲＱ情報は、少なくともＮＤＩ（New  Data  Indicator）およびＴＢＳ（トランスポートブロックサイズ）で構成される。ＮＤＩは、そのＨＡＲＱ情報に対応するトランスポートブロックが初送か再送かを示す情報である。ＴＢＳはトランスポートブロックのサイズである。トランスポートブロックは、トランスポートチャネル（トランスポートレイヤー）におけるデータのブロックであり、ＨＡＲＱを行う単位とすることができる。ＤＬ−ＳＣＨ送信において、ＨＡＲＱ情報は、さらにＨＡＲＱプロセスＩＤ（ＨＡＲＱプロセス番号）を含む。ＵＬ−ＳＣＨ送信において、ＨＡＲＱ情報は、さらにトランスポートブロックに対する符号化後の情報ビットとパリティビットを指定するための情報であるＲＶ（Redundancy  Version）を含む。ＤＬ−ＳＣＨにおいて空間多重の場合、そのＨＡＲＱ情報は、それぞれのトランスポートブロックに対してＮＤＩおよびＴＢＳのセットを含む。
【０１５８】
＜本実施形態におけるＮＲのフレーム構成（時間領域）＞
ＮＲのフレーム構成では、サブフレーム、スロットおよびミニスロットで規定されうる。サブフレームは、１４のシンボルで構成され、参照サブキャリア間隔（規定サブキャリア間隔）におけるフレーム構成の定義で用いられうる。スロットは、通信に用いられるサブキャリア間隔におけるシンボル区間であり、７または１４のシンボルで構成される。１つのスロットを構成するシンボルの数は、基地局装置１からセル固有または端末装置固有に設定できる。ミニスロットは、スロットを構成するシンボルの数よりも少ないシンボルで構成されうる。例えば、１つのミニスロットは、１から６までのシンボル数であり、基地局装置１からセル固有または端末装置固有に設定できる。スロットおよびミニスロットはいずれも通信を行う時間領域のリソースの単位として用いられる。例えば、スロットはｅＭＢＢおよびｍＭＴＣのための通信に用いられ、ミニスロットはＵＲＬＬＣのための通信に用いられる。また、スロットおよびミニスロットは名称を区別しなくてもよい。
【０１５９】
図１０は、本実施形態におけるＮＲのフレーム構成の一例を示す。図１０は、所定の周波数領域におけるフレーム構成を示している。例えば、その周波数領域は、リソースブロック、サブバンド、またはシステム帯域幅などを含む。そのため、図１０で示されるようなフレーム構成は、周波数多重および／または空間多重されうる。
【０１６０】
ＮＲでは、１つのスロットは、下りリンク通信、ガード区間（ガードピリオド：ＧＰ）、および／または下りリンク通信で構成される。下りリンク通信には、ＮＲ−ＰＤＣＣＨおよび／またはＮＲ−ＰＤＳＣＨなどの下りリンクチャネルが含まれる。また、下りリンク送信には、ＮＲ−ＰＤＣＣＨおよび／またはＮＲ−ＰＤＳＣＨに関連付けられる参照信号が含まれる。上りリンク通信には、ＮＲ−ＰＵＣＣＨおよび／またはＮＲ−ＰＵＳＣＨなどの上りリンクチャネルが含まれる。また、下りリンク通信には、ＮＲ−ＰＵＣＣＨおよび／またはＮＲ−ＰＵＳＣＨに関連付けられる参照信号が含まれる。ＧＰは、何も送信されない時間領域である。例えば、ＧＰは、端末装置２における下りリンク通信の受信から上りリンク通信の送信に切り替える時間、端末装置２における処理時間、および／または、上りリンク通信の送信タイミングの調整に用いられる。
【０１６１】
図１０に示されるように、ＮＲは、様々なフレーム構成を用いることができる。図１０（ａ）は、ＮＲ−ＰＤＣＣＨ、ＮＲ−ＰＤＳＣＨ、ＧＰおよびＮＲ−ＰＵＣＣＨで構成される。ＮＲ−ＰＤＣＣＨはＮＲ−ＰＤＳＣＨの割り当て情報を通知し、受信したＮＲ−ＰＤＳＣＨに対するＨＡＲＱ−ＡＣＫは同一スロット内のＮＲ−ＰＵＣＣＨで通知する。図１０（ｂ）は、ＮＲ−ＰＤＣＣＨ、ＧＰおよびＮＲ−ＰＵＳＣＨで構成される。ＮＲ−ＰＤＣＣＨはＮＲ−ＰＵＳＣＨの割り当て情報を通知し、ＮＲ−ＰＵＳＣＨは同一スロット内の割り当てられたリソースで送信される。図１０（ａ）および図１０（ｂ）のようなフレーム構成は、同一スロット内で下りリンク通信と上りリンク通信が完結するので、Self-containedフレームとも呼称される。
【０１６２】
図１０（ｃ）〜（ｇ）は、下りリンク通信のみ、または、上りリンク通信のみで構成されるスロットである。図１０（ｃ）において、ＮＲ−ＰＤＳＣＨは、同一スロット内のＮＲ−ＰＤＣＣＨによりスケジュールされうる。図１０（ｄ）および（ｅ）において、ＮＲ−ＰＤＳＣＨおよびＮＲ−ＰＵＳＣＨはそれぞれ、異なるスロットにマッピングされるＮＲ−ＰＤＣＣＨ、または、ＲＲＣシグナリングなどによりスケジュールされうる。図１０（ｈ）は、スロット全体をガード区間として通信されない領域として用いられる。
【０１６３】
＜本実施形態における上りリンク信号波形の概要＞
本実施形態では、上りリンクにおいて複数種類の信号波形（Waveform）が規定される。例えば、２つの上りリンク信号波形が規定され、それぞれ第１の信号波形および第２の信号波形とすることができる。本実施形態において、第１の信号波形はＣＰ−ＯＦＤＭ（Cyclic  Prefix  -  Orthogonal  Frequency  Division  Multiplexing）とし、第２の信号波形はＳＣ−ＦＤＭＡ（Single  Carrier  -  Frequency  Division  Multiple  Access）とする。また、第２の信号波形は、ＤＦＴ−ｓ−ＯＦＤＭ（Discrete  Fourier  Transform  -  Spread  -  Orthogonal  Frequency  Division  Multiplexing）とも呼称される。
【０１６４】
つまり、第１の信号波形はマルチキャリア信号であり、第２の信号波形はシングルキャリア信号である。また、第１の信号波形はＬＴＥおよびＮＲにおける下りリンクの信号波形と同じであり、第２の信号波形はＬＴＥにおける上りリンクの信号波形と同じである。
【０１６５】
これらの信号波形は、電力効率、伝送効率、送信（生成）方法、受信方法およびリソースマッピングなどの点で異なることができる。例えば、第２の信号波形は、第１の信号波形に比べて、ＰＡＰＲ（Peak-to-Average  Power  Ratio）を低減することができるため、電力効率の点で優れている。また、第１の信号波形は、参照信号を周波数方向にデータと周波数多重することができるため、第２の信号波形に比べて伝送効率の点で優れている。また、第２の信号波形に対する受信処理において、周波数領域等価を行う必要がある場合、第２の信号波形は、第１の信号波形に比べて、受信処理の負荷が高い。また、第１の信号波形は、第２の信号波形に比べて、サブキャリア間隔が狭いため、特に高い周波数帯において位相雑音の影響を受けやすい。
【０１６６】
＜本実施形態における上りリンク信号波形の無線送信部および無線受信部の詳細＞
次に、第１の信号波形と第２の信号波形の両方をサポートする基地局装置１における無線受信部１０５７の詳細を説明する。図１１は、無線受信部１０５７の構成を示すブロック図である。無線受信部１０５７は、信号波形切替部３０１、第１の信号波形受信部３０３および第２の信号波形受信部３０５を含んで構成する。信号波形切替部３０１は、所定の条件や状況に応じて、受信した上りリンク通信が第１の信号波形であるか第２の信号波形であるかを切り替える。受信した上りリンク通信が第１の信号波形である場合、その上りリンク通信は、第１の信号波形受信部３０３で受信処理される。受信した上りリンク通信が第２の信号波形である場合、その上りリンク通信は、第２の信号波形受信部３０５で受信処理される。信号波形切替部３０１における切り替えの条件や状況は後述する。なお、信号波形切替部は、信号波形制御部とも呼称される。また、図１１では、第１の信号波形受信部３０３および第２の信号波形受信部３０５は、異なる処理部として記載されているが、１つの処理部として、受信処理の一部のみが切り替えて行われるようにしてもよい。
【０１６７】
次に、第１の信号波形と第２の信号波形の両方をサポートする端末装置２における無線送信部２０７７の詳細を説明する。図１２は、無線送信部２０７７の構成を示すブロック図である。無線送信部２０７７は、信号波形切替部４０１、第１の信号波形送信部４０３および第２の信号波形送信部４０５を含んで構成する。信号波形切替部４０１は、所定の条件や状況に応じて、送信する上りリンク通信が第１の信号波形であるか第２の信号波形であるかを切り替える。送信する上りリンク通信が第１の信号波形である場合、その上りリンク通信は、第１の信号波形送信部４０３で送信処理される。送信する上りリンク通信が第２の信号波形である場合、その上りリンク通信は、第２の信号波形送信部４０５で送信処理される。信号波形切替部４０１における切り替えの条件や状況は後述する。なお、信号波形切替部は、信号波形制御部とも呼称される。また、図１２では、第１の信号波形受信部４０３および第２の信号波形受信部４０５は、異なる処理部として記載されているが、１つの処理部として、送信処理の一部のみが切り替えて行われるようにしてもよい。
【０１６８】
図１３は、第１の信号波形受信部３０３の構成を示すブロック図を示す。第１の信号波形受信部３０３は、上りリンク通信の信号波形としてＣＰ−ＯＦＤＭにより送信された上りリンクチャネルおよび信号に対して受信処理を行う。第１の信号波形受信部３０３は、ＣＰ除去部３０３１、Ｓ／Ｐ部３０３３、ＤＦＴ（Discrete  Fourier  Transform）部３０３５、およびＰ／Ｓ部３０３７を含んで構成する。ＣＰ除去部３０３１は、受信された上りリンク通信に付加されたＣＰ（Cyclic  prefix）を除去する。Ｓ／Ｐ部３０３３は、入力されるシリアル信号をサイズがＮのパラレル信号に変換する。ＤＦＴ部３０３５は、フーリエ変換処理を行う。ここで、サイズＮが２の指数である場合、そのフーリエ変換処理はＦＦＴ（Fast  Fourier  Transform）処理を行うことができる。Ｐ／Ｓ部３０３７は、入力されるサイズＭのパラレル信号をシリアル信号に変換する。ここで、Ｐ／Ｓ部３０３７には、受信処理を行う端末装置２が送信した上りリンク通信の信号が入力される。また、サイズＭは、上りリンク通信として用いられる周波数領域のリソースの大きさに依存して決まる。
【０１６９】
図１４は、第２の信号波形受信部３０５の構成を示すブロック図を示す。第２の信号波形受信部３０５は、上りリンク通信の信号波形としてＳＣ−ＦＤＭＡにより送信された上りリンクチャネルおよび信号に対して受信処理を行う。第２の信号波形受信部３０５は、ＣＰ除去部３０５１、Ｓ／Ｐ部３０５３、ＤＦＴ（Discrete  Fourier  Transform）部３０５５、およびＩＤＦＴ（Inverse  Discrete  Fourier  Transform）部３０５７を含んで構成する。ＣＰ除去部３０５１は、受信された上りリンク通信に付加されたＣＰ（Cyclic  prefix）を除去する。Ｓ／Ｐ部３０５３は、入力されるシリアル信号をサイズがＮのパラレル信号に変換する。ＤＦＴ部３０５５は、フーリエ変換処理を行う。ここで、サイズＮが２の指数である場合、そのフーリエ変換処理はＦＦＴ（Fast  Fourier  Transform）処理を行うことができる。ＩＤＦＴ部３０５７は、入力されるサイズがＭの信号を逆フーリエ変換処理する。ここで、ＩＤＦＴ部３０５７には、受信処理を行う端末装置２が送信した上りリンク通信の信号が入力される。また、サイズＭは、上りリンク通信として用いられる周波数領域のリソースの大きさに依存して決まる。
【０１７０】
図１５は、第１の信号波形送信部４０３の構成を示すブロック図を示す。第１の信号波形送信部４０３は、上りリンク通信の信号波形としてＣＰ−ＯＦＤＭにより送信する上りリンクチャネルおよび信号に対して送信処理を行う。第１の信号波形送信部４０３は、Ｓ／Ｐ部４０３１、ＩＤＦＴ（Inverse  Discrete  Fourier  Transform）部４０３３、Ｐ／Ｓ部４０３５、およびＣＰ挿入部４０３７を含んで構成する。Ｓ／Ｐ部４０３１は、入力されるシリアル信号をサイズＭのパラレル信号に変換する。ここで、サイズＭは、上りリンク通信として用いられる周波数領域のリソースの大きさに依存して決まる。サイズＭのパラレル信号は、所定の周波数領域に対応するように、ＩＤＦＴ部４０３３に入力される。ＩＤＦＴ部４０３３は、サイズＮのパラレル信号に対して逆フーリエ変換処理を行う。ここで、サイズＮが２の指数である場合、そのフーリエ変換処理はＩＦＦＴ（Inverse  Fast  Fourier  Transform）処理を行うことができる。Ｐ／Ｓ部４０３５は、サイズＮのパラレル信号をシリアル信号に変換する。ＣＰ挿入部４０３７は、ＯＦＤＭシンボル毎に所定のＣＰを挿入する。
【０１７１】
図１６は、第２の信号波形送信部４０５の構成を示すブロック図を示す。第２の信号波形送信部４０３は、上りリンク通信の信号波形としてＳＣ−ＦＤＭＡにより送信する上りリンクチャネルおよび信号に対して送信処理を行う。第２の信号波形送信部４０５は、ＤＦＴ部４０５１、ＩＤＦＴ（Inverse  Discrete  Fourier  Transform）部４０５３、Ｐ／Ｓ部４０５５、およびＣＰ挿入部４０５７を含んで構成する。Ｓ／Ｐ部４０５１は、サイズＭのパラレル信号にＤＦＴ変換する。ここで、サイズＭは、上りリンク通信として用いられる周波数領域のリソースの大きさに依存して決まる。サイズＭのパラレル信号は、所定の周波数領域に対応するように、ＩＤＦＴ部４０５３に入力される。ＩＤＦＴ部４０５３は、サイズＮのパラレル信号に対して逆フーリエ変換処理を行う。ここで、サイズＮが２の指数である場合、そのフーリエ変換処理はＩＦＦＴ（Inverse  Fast  Fourier  Transform）処理を行うことができる。Ｐ／Ｓ部４０５５は、サイズＮのパラレル信号をシリアル信号に変換する。ＣＰ挿入部４０５７は、ＳＣ−ＦＤＭＡシンボル毎に所定のＣＰを挿入する。
【０１７２】
＜本実施形態における上りリンク信号波形の制御方法に関するシグナリング＞
既に説明したように、第１の信号波形と第２の信号波形は、それぞれ様々な点で特性や特徴が異なる。そのため、第１の信号波形と第２の信号波形の両方をサポートする基地局装置１および端末装置２は、状況や条件に応じて最適な信号波形を切り替えて用いることが好ましい。以下では、本実施形態における上りリンク信号波形の制御方法に関するシグナリングについて説明する。
【０１７３】
本実施形態における上りリンク信号波形の制御方法に関するシグナリングの一例は、ＲＲＣシグナリングにより準静的に行われる。図１７は、上りリンク信号波形の準静的な制御方法に関するシグナリングの一例を示す。基地局装置１は、端末装置２に対して、ＲＲＣシグナリングを通じて上りリンク信号波形に関する設定を行う。そのＲＲＣシグナリングは、端末装置２に固有の設定でもよいし、基地局装置１に固有の設定でもよい。次に、基地局装置１は、端末装置２に対して、上りリンクチャネルの送信に関するグラント（割り当て）を行うための下りリンク制御情報を通知する。その下りリンク制御情報は、ＮＲ−ＰＤＣＣＨを通じて送信できる。端末装置２は、その上りリンクグラントに基づいて、上りリンクチャネルとしてＮＲ−ＰＵＳＣＨの送信を行う。そのＮＲ−ＰＵＳＣＨは、既に設定された上りリンク信号波形により送信される。
【０１７４】
本実施形態における上りリンク信号波形の制御方法に関するシグナリングの別の一例は、ＮＲ−ＰＤＣＣＨシグナリングにより動的に行われる。図１８は、上りリンク信号波形の動的な制御方法に関するシグナリングの一例を示す。基地局装置１は、端末装置２に対して、上りリンクチャネルの送信に関するグラント（割り当て）を行うための下りリンク制御情報を通知する。その下りリンク制御情報は、上りリンク信号波形に関する情報を含む。その上りリンク信号波形に関する情報は、その上りリンクグラントとは異なる下りリンク制御情報に含まれて、端末装置２固有または基地局装置１固有に通知されてもよい。その下りリンク制御情報は、ＮＲ−ＰＤＣＣＨを通じて送信できる。端末装置２は、その上りリンクグラントに基づいて、上りリンクチャネルとしてＮＲ−ＰＵＳＣＨの送信を行う。そのＮＲ−ＰＵＳＣＨは、同時または別に通知された情報に基づいて決定される上りリンク信号波形により送信される。
【０１７５】
＜本実施形態における上りリンク信号波形の制御方法の詳細＞
既に説明したように、第１の信号波形と第２の信号波形の両方をサポートする基地局装置１および端末装置２は、様々な状況や条件に応じて最適な信号波形を切り替えて用いることが好ましい。以下では、上りリンク信号波形の制御方法における状況や条件について説明する。なお、以下で説明する状況や条件は、それ単体でも適用できるし、複数を組み合わせても適用できる。
【０１７６】
また、ＲＲＣシグナリングなどにより上りリンク通信に対する信号波形が設定されるまでは、その上りリンク通信は所定の信号波形を用いて送信することができる。すなわち、既定の信号波形を予め規定することができる。また、既定の信号波形を基地局装置２からの報知情報により設定することができる。例えば、既定の信号波形は、第２の信号波形である。
【０１７７】
（１）上りリンク信号波形の準静的な制御方法において、端末装置固有または基地局装置固有に行われる制御の具体例
以下では、上りリンク信号波形の準静的な制御方法において、その制御が端末装置固有または基地局装置固有に行われる場合の具体例を説明する。
【０１７８】
（１−１）フレーム構成に基づく制御
その具体例の１つとして、上りリンク信号波形の制御は、フレーム構成に基づいて行われる。上りリンク信号波形は、上りリンク通信に用いられるフレーム構成によって、用いられる上りリンク信号波形または設定されうる上りリンク信号波形が黙示的に決まる。
【０１７９】
例えば、上りリンク信号波形は、上りリンク通信に用いられるフレーム構成がSelf-containedフレームか非Self-containedフレームかに応じて決まる。Self-containedフレームは、図１０（ａ）および（ｂ）で示すように１つのフレーム（スロット）の中に下りリンク通信とそれに関連する上りリンク通信が含まれるフレームである。
【０１８０】
Self-containedフレームは、図１０（ａ）で示すようにＮＲ−ＰＵＣＣＨのシンボル数が少ないため、第１の信号波形が用いられることが好ましい。そのため、Self-containedフレームは、第１の信号波形のみを設定できるようにしてもよい。すなわち、端末装置２はＲＲＣシグナリングを通じて所定の上りリンク通信にSelf-containedフレームを用いることが設定された場合、その上りリンク通信は第１の信号波形で送信する。
【０１８１】
一方、非Self-containedフレームの場合、その上りリンク通信に対して、第１の信号波形または第２の信号波形がさらに設定されてもよい。また、非Self-containedフレームの場合、その上りリンク通信は、第２の信号波形を用いるように規定されてもよい。
【０１８２】
（１−２）サブキャリア間隔に基づく制御
その具体例の１つとして、上りリンク信号波形の制御は、サブキャリア間隔に基づいて行われる。上りリンク信号波形は、上りリンク通信に用いられるサブキャリア間隔によって、用いられる上りリンク信号波形または設定されうる上りリンク信号波形が黙示的に決まる。
【０１８３】
例えば、上りリンク通信に用いられるサブキャリア間隔が、設定または規定される所定値以下である場合、その上りリンク通信は第２の信号波形を用いる。その所定値は１５ｋＨｚとしてもよい。また、その所定値を超えるサブキャリア間隔の場合、その上りリンク通信に対して、第１の信号波形または第２の信号波形がさらに設定されてもよいし、第１の信号波形を用いるように規定されてもよい。
【０１８４】
例えば、上りリンク通信に用いられるサブキャリア間隔が、設定または規定される参照値（既定値）である場合、その上りリンク通信は第２の信号波形を用いる。その参照値は１５ｋＨｚとしてもよい。また、参照値以外のサブキャリア間隔の場合、その上りリンク通信に対して、第１の信号波形または第２の信号波形がさらに設定されてもよいし、第１の信号波形を用いるように規定されてもよい。
【０１８５】
（１−３）上りリンクにおける空間多重に関する送信モードに基づく制御
その具体例の１つとして、上りリンク信号波形の制御は、上りリンクにおける空間多重に関する送信モードに基づいて行われる。上りリンク信号波形は、上りリンク通信に対して設定される空間多重に関する送信モードによって、用いられる上りリンク信号波形または設定されうる上りリンク信号波形が黙示的に決まる。
【０１８６】
例えば、上りリンク通信に対して設定される空間多重に関する送信モードがマルチストリーム（マルチレイヤー、空間多重）通信が可能なモードである場合、その上りリンク通信は第１の信号波形が用いられる。また、上りリンク通信に対して設定される空間多重に関する送信モードがシングルストリーム（シングルレイヤー、非空間多重）通信のみがサポートされるモードである場合、その上りリンク通信に対して、第１の信号波形または第２の信号波形がさらに設定されてもよいし、第２の信号波形を用いるように規定されてもよい。
【０１８７】
（１−４）送信時間間隔の長さ（ＴＴＩ長）に基づく制御
その具体例の１つとして、上りリンク信号波形の制御は、ＴＴＩ長に基づいて行われる。上りリンク信号波形は、上りリンク通信に用いられるＴＴＩ長によって、用いられる上りリンク信号波形または設定されうる上りリンク信号波形が黙示的に決まる。ここで、ＴＴＩ長は物理的な時間の長さで定義されてもよいし、ＯＦＤＭシンボルまたはＳＣ−ＦＤＭＡシンボルの数で定義されてもよい。
【０１８８】
例えば、上りリンク通信に用いられるＴＴＩ長が所定値以下の場合、その上りリンク通信は第１の信号波形が用いられる。その所定値は、設定または規定されるスロットの長さよりも小さい値であり、７または１４シンボルより小さい値、または、０．５ｍｓまたは１ｍｓよりも小さい値である。すなわち、上りリンク通信に対して低レイテンシーで通信することが要求される場合、その上りリンク通信は第１の信号波形を用いるようにしてもよい。また、上りリンク通信に用いられるＴＴＩ長が所定値を超える場合、その上りリンク通信に対して、第１の信号波形または第２の信号波形がさらに設定されてもよいし、第２の信号波形を用いるように規定されてもよい。
【０１８９】
（１−５）上りリンクにおけるスケジュールに関する送信モードに基づく制御
その具体例の１つとして、上りリンク信号波形の制御は、上りリンクにおけるスケジュールに関する送信モードに基づいて行われる。上りリンク信号波形は、上りリンク通信に対して設定されるスケジュールに関する送信モードによって、用いられる上りリンク信号波形または設定されうる上りリンク信号波形が黙示的に決まる。
【０１９０】
ここで、上りリンクにおけるスケジュールに関する送信モードは、グラントに基づく送信モードと、グラント無しの送信モードである。グラントに基づく送信モードにおいて、それぞれの上りリンク通信は、基地局装置１はＮＲ−ＰＤＣＣＨを通じて通知する上りリンクグラントに基づいてスケジュールされ、送信する。そのため、グラントに基づく送信モードは、他の上りリンク通信と衝突が起こらないため、信頼性の高い通信が実現できる。グラント無しの送信モードにおいて、基地局装置１はそれぞれの上りリンク通信に対して上りリンクグラントを通知せず、端末装置２はＲＲＣシグナリングにより設定された上りリンクリソースを用いて上りリンク通信を行う。そのため、端末装置２は上りリンクのデータが発生した場合でも基地局装置２からの上りリンクグラントを待つことなく上りリンク通信を行うことができる。また、他の上りリンク通信との衝突を軽減するために、その上りリンク通信は非直交アクセス方式がサポートされうる。
【０１９１】
例えば、上りリンク通信に対して設定されるスケジュールに関する送信モードがグラント無しの送信モードである場合、その上りリンク通信は第１の信号波形が用いられる。これは、グラント無しの送信モードがＵＲＬＬＣのために用いられる場合に好適な方法である。また、上りリンク通信に対して設定されるスケジュールに関する送信モードがグラントに基づく送信モードである場合、その上りリンク通信に対して、第１の信号波形または第２の信号波形がさらに設定されてもよいし、第２の信号波形を用いるように規定されてもよい。
【０１９２】
例えば、上りリンク通信に対して設定されるスケジュールに関する送信モードがグラント無しの送信モードである場合、その上りリンク通信は第２の信号波形が用いられる。これは、グラント無しの送信モードがｍＭＴＣのために用いられる場合に好適な方法である。また、上りリンク通信に対して設定されるスケジュールに関する送信モードがグラントに基づく送信モードである場合、その上りリンク通信に対して、第１の信号波形または第２の信号波形がさらに設定されてもよいし、第１の信号波形を用いるように規定されてもよい。
【０１９３】
（１−６）上りリンク通信の種類に基づく制御
その具体例の１つとして、上りリンク信号波形の制御は、上りリンク通信の種類に基づいて行われる。上りリンク信号波形は、上りリンク通信の種類によって、用いられる上りリンク信号波形または設定されうる上りリンク信号波形が黙示的に決まる。
【０１９４】
ここで、上りリンク通信の種類は、ＮＲ−ＰＲＡＣＨ、ＮＲ−ＰＵＣＣＨおよびＮＲ−ＰＵＳＣＨなどの上りリンクチャネル、ＳＲＳおよびＤＭＲＳなどの上りリンク信号を含む。
【０１９５】
例えば、上りリンク通信の種類がＮＲ−ＰＵＣＣＨである場合、その上りリンク通信は第２の信号波形が用いられる。これは、高い信頼性が求められる制御情報の送信に好適な方法である。また、この場合、そのＮＲ−ＰＵＣＣＨは、非Self-containedフレームで送信されることが好ましい。また、上りリンク通信の種類がＮＲ−ＰＵＳＣＨである場合、その上りリンク通信に対して、第１の信号波形または第２の信号波形がさらに設定されてもよいし、第１の信号波形を用いるように規定されてもよい。
【０１９６】
（１−７）上りリンク通信の変調方式に基づく制御
その具体例の１つとして、上りリンク信号波形の制御は、上りリンク通信の変調方式に基づいて行われる。上りリンク信号波形は、上りリンク通信の変調方式によって、用いられる上りリンク信号波形または設定されうる上りリンク信号波形が黙示的に決まる。
【０１９７】
ここで、上りリンク通信の変調方式は、ＢＰＳＫ（Binary  Phase  Shift  Keying）、ＱＰＳＫ（Quadrature  PSK）、ＱＡＭ（Quadrature  Amplitude  Modulation）を含む。また、上りリンク通信の変調方式は、信号点の間隔が一定であるUniformコンスタレーション、および信号点の間隔が一定でない非Uniformコンスタレーションを含む。
【０１９８】
例えば、上りリンク通信が所定の変調方式である場合、その上りリンク通信は第１の信号波形が用いられる。所定の変調方式は、高い変調多値数の変調方式であり、例えば２５６ＱＡＭである。また、所定の変調方式は、非Uniformコンスタレーションである。これは、高い伝送効率が求められる送信に好適な方法である。換言すると、所定の変調方式は、第１の信号波形のみが用いられる。また、上りリンク通信が所定の変調方式以外である場合、その上りリンク通信に対して、第１の信号波形または第２の信号波形がさらに設定されてもよいし、第２の信号波形を用いるように規定されてもよい。
【０１９９】
（１−８）上りリンク通信の周波数帯に基づく制御
その具体例の１つとして、上りリンク信号波形の制御は、上りリンク通信の周波数帯に基づいて行われる。上りリンク信号波形は、上りリンク通信の周波数帯によって、用いられる上りリンク信号波形または設定されうる上りリンク信号波形が黙示的に決まる。
【０２００】
例えば、上りリンク通信の周波数帯が所定値以上である場合、その上りリンク通信は第２の信号波形が用いられる。所定値は、高い周波数帯であり、例えば４０ＧＨｚである。換言すると、所定値以上の周波数帯では、第２の信号波形のみが用いられる。また、上りリンク通信の周波数帯が所定値未満である場合、その上りリンク通信に対して、第１の信号波形または第２の信号波形がさらに設定されてもよいし、第１の信号波形を用いるように規定されてもよい。
【０２０１】
（１−９）上りリンク通信におけるＣＰ長に基づく制御
その具体例の１つとして、上りリンク信号波形の制御は、上りリンク通信におけるＣＰ長に基づいて行われる。上りリンク信号波形は、上りリンク通信におけるＣＰ長によって、用いられる上りリンク信号波形または設定されうる上りリンク信号波形が黙示的に決まる。
【０２０２】
ここで、ＮＲでは、所定のサブキャリア間隔において、複数のＣＰ長のタイプをサポートすることができる。例えば、ＮＲは、第１のＣＰ長と第２のＣＰ長をサポートする。第１のＣＰ長と第２のＣＰ長は、それぞれノーマルＣＰと拡張ＣＰとも呼称される。第１のＣＰ長において、１つのスロットは７つのシンボルで構成されるように、ＣＰ長が規定される。第２のＣＰ長において、１つのスロットは６つのシンボルで構成されるように、ＣＰ長が規定される。
【０２０３】
例えば、上りリンク通信が第２のＣＰ長である場合、その上りリンク通信は第２の信号波形が用いられる。換言すると、第２のＣＰ長が用いられる上りリンク通信では、第２の信号波形のみが用いられる。また、上りリンク通信が第１のＣＰ長である場合、その上りリンク通信に対して、第１の信号波形または第２の信号波形がさらに設定されてもよいし、第１の信号波形を用いるように規定されてもよい。
【０２０４】
（１−１０）上りリンク通信における所定のパラメータに基づく制御
その具体例の１つとして、上りリンク信号波形の制御は、上りリンク通信における所定のパラメータに基づいて行われる。上りリンク信号波形は、上りリンク通信における所定のパラメータの値によって、用いられる上りリンク信号波形または設定されうる上りリンク信号波形が黙示的に決まる。
【０２０５】
ここで、所定のパラメータは、上りリンク送信のタイミングオフセット（Timing  Advance  Offset）、上りリンク送信の繰り返し送信に関する送信モード、設定されるＲＮＴＩ、および、上りリンク送信の送信経路に関する送信モードを含む。
【０２０６】
例えば、上りリンク通信において所定のパラメータが第１の値または状態である場合、その上りリンク通信は所定の信号波形が用いられる。換言すると、第２の信号波形である場合、所定のパラメータとして第１の値または状態のみが用いられる。また、上りリンク通信において所定のパラメータが第２の値または状態である場合、その上りリンク通信に対して、第１の信号波形または第２の信号波形がさらに設定されてもよいし、所定の信号波形とは異なる信号波形を用いるように規定されてもよい。
【０２０７】
例えば、上りリンク通信において、第１の信号波形と第２の信号波形では、上りリンク送信のタイミングオフセットの設定可能な値のレンジ（範囲）が異なるように規定される。
【０２０８】
例えば、所定のパラメータが上りリンク送信の送信経路に関する送信モードである場合、その送信経路がリレー通信であるかどうかに応じて、第１の信号波形または第２の信号波形が決まるように規定される。
【０２０９】
（２）上りリンク信号波形の動的な制御方法において、端末装置固有または基地局装置固有に行われる制御の具体例
以下では、上りリンク信号波形の動的な制御方法において、その制御が端末装置固有または基地局装置固有に行われる場合の具体例を説明する。
【０２１０】
（２−１）上りリンク通信に対する上りリンクグラントに基づく明示的な制御
その具体例の１つとして、上りリンク信号波形の制御は、上りリンク通信に対する上りリンクグラントに基づいて明示的に行われる。上りリンク信号波形は、上りリンクグラントにおけるＤＣＩによって、用いられる上りリンク信号波形または設定されうる上りリンク信号波形が明示的に決まる。
【０２１１】
例えば、所定のビットフィールドは、上りリンク通信に対する上りリンク信号波形が第１の信号波形または第２の信号波形であるかを示す信号波形通知情報を含む。その信号波形通知情報は、それ単体の情報でもよいし、他の情報とジョイントコーディングされてもよい。
【０２１２】
また、上りリンクグラントにその所定のビットフィールドが含まれない場合、その上りリンク通信は所定の信号波形を用いるように設定または規定されてもよい。
【０２１３】
（２−２）上りリンク通信に対する上りリンクグラントに基づく黙示的な制御
その具体例の１つとして、上りリンク信号波形の制御は、上りリンク通信に対する上りリンクグラントに基づいて黙示的に行われる。上りリンク信号波形は、上りリンクグラントにおけるＤＣＩ内の所定の情報によって、用いられる上りリンク信号波形または設定されうる上りリンク信号波形が黙示的に決まる。
【０２１４】
例えば、所定の情報が所定の値である場合、その上りリンク通信は所定の信号波形が用いられる。また、所定の情報が所定の値でない場合、その上りリンク通信は所定の信号波形とは異なる信号波形が用いられる。
【０２１５】
例えば、上りリンクグラントにおけるＤＣＩにおいて、２つのトランスポートブロックに対してＭＣＳ（Modulation  and  Coding  Scheme）などのパラメータが独立にスケジュールされる場合、２つ目のトランスポートブロックに対する所定のパラメータが、上りリンク信号波形に関して黙示的に通知する。具体的には、２つ目のトランスポートブロックに対する所定のパラメータが所定の値である場合、その上りリンク通信は第２の信号波形を用いる。２つ目のトランスポートブロックに対する所定のパラメータが所定の値でない場合、その上りリンク通信は第１の信号波形を用いる。また、その所定のパラメータが２つ目のトランスポートブロックのスケジュールのために用いられない場合、その上りリンク通信は第２の信号波形を用いる。その所定のパラメータが２つ目のトランスポートブロックのスケジュールのために用いられる場合、その上りリンク通信は第１の信号波形を用いる。これは、２つ目のトランスポートブロックがスケジュールされない場合はシングルストリーム通信が行われうるので、その場合は第２の信号波形を用いることが好ましいためである。
【０２１６】
（２−３）上りリンク通信に対する上りリンクグラントのＤＣＩフォーマットに基づく制御
その具体例の１つとして、上りリンク信号波形の制御は、上りリンク通信に対する上りリンクグラントのＤＣＩフォーマットに基づいて黙示的に行われる。上りリンク信号波形は、上りリンク通信に対する上りリンクグラントのＤＣＩフォーマットによって、用いられる上りリンク信号波形または設定されうる上りリンク信号波形が黙示的に決まる。
【０２１７】
例えば、ある上りリンク通信が第１のＤＣＩフォーマットでスケジュールされる場合、その上りリンク通信は第１の信号波形を用いて送信され、ある上りリンク通信が第２のＤＣＩフォーマットでスケジュールされる場合、その上りリンク通信は第２の信号波形を用いて送信される。例えば、第１のＤＣＩフォーマットはマルチストリーム通信が可能な通信モードに対応するＤＣＩフォーマットであり、第２のＤＣＩフォーマットはシングルストリーム通信のみが可能な通信モードに対応するＤＣＩフォーマットである。また、第２のＤＣＩフォーマットは、設定される通信モードに関わらず用いられるＤＣＩフォーマットであり、フォールバックの用途で用いることができる。
【０２１８】
（２−４）上りリンク通信に対する上りリンクグラントのサーチスペースに基づく制御
その具体例の１つとして、上りリンク信号波形の制御は、上りリンク通信に対する上りリンクグラントのサーチスペースに基づいて黙示的に行われる。上りリンク信号波形は、上りリンク通信に対する上りリンクグラントを検出するサーチスペースによって、用いられる上りリンク信号波形または設定されうる上りリンク信号波形が黙示的に決まる。
【０２１９】
例えば、ある上りリンク通信に対する上りリンクグラントが第１のサーチスペースで検出される場合、その上りリンク通信は第１の信号波形を用いて送信され、ある上りリンク通信が第２のサーチスペースで検出される場合、その上りリンク通信は第２の信号波形を用いて送信される。例えば、第１のサーチスペースはＵＳＳであり、第２のサーチスペースはＣＳＳである。また、第２のサーチスペースは、端末装置固有のパラメータに依存しないサーチスペースであり、フォールバックの用途で用いることができる。
【０２２０】
（２−５）上りリンク通信に対してスケジュールされるフレームの種類に基づく制御
その具体例の１つとして、上りリンク信号波形の制御は、上りリンク通信に対してスケジュールされるフレームの種類に基づいて黙示的に行われる。すなわち、上りリンク信号波形の制御は、上りリンクグラントによってスケジュールされる上りリンク通信に用いられるフレームの種類に基づいて黙示的に行われる。上りリンク信号波形は、上りリンク通信に対してスケジュールされるフレームの種類によって、用いられる上りリンク信号波形または設定されうる上りリンク信号波形が黙示的に決まる。
【０２２１】
例えば、ある上りリンク通信に用いられるフレームの種類が第１のフレームである場合、その上りリンク通信は第１の信号波形を用いて送信され、ある上りリンク通信に用いられるフレームの種類が第２のフレームである場合、その上りリンク通信は第２の信号波形を用いて送信される。例えば、第１のフレームは上りリンクサブフレームであり、第２のフレームはスペシャルサブフレームである。この方法は、非Self-containedフレームに好適である。
【０２２２】
（２−６）上りリンク通信に対する上りリンクグラントのＲＮＴＩに基づく制御
その具体例の１つとして、上りリンク信号波形の制御は、上りリンク通信に対する上りリンクグラントのＲＮＴＩに基づいて黙示的に行われる。上りリンク信号波形は、上りリンク通信に対する上りリンクグラントに用いられるＲＮＴＩによって、用いられる上りリンク信号波形または設定されうる上りリンク信号波形が黙示的に決まる。
【０２２３】
例えば、ある上りリンク通信に対する上りリンクグラントに用いられるＲＮＴＩが第１のＲＮＴＩである場合、その上りリンク通信は第１の信号波形を用いて送信され、ある上りリンク通信に対する上りリンクグラントに用いられるＲＮＴＩが第２のＲＮＴＩである場合、その上りリンク通信は第２の信号波形を用いて送信される。例えば、第１のＲＮＴＩは端末装置に固有のＲＮＴＩであり、第２のＲＮＴＩは端末装置に依存しないＲＮＴＩである。また、第２のＲＮＴＩは、基地局装置に固有のＲＮＴＩまたは予め規定されるＲＮＴＩであり、フォールバックまたは複数の端末装置に報知する用途で用いることができる。
【０２２４】
＜本実施形態における上りリンク信号波形の制御における基準＞
上りリンク信号波形の制御において、基地局装置１は様々な基準に基づいて制御することができる。
【０２２５】
その基準の一例において、その制御は、端末装置２の基地局装置１に対する距離に基づいて決まる。その距離を認識する方法として、基地局装置１は、パスロス、送信電力、端末装置２が送信可能な最大電力までの余力を示すパワーヘッドルームなどを用いて決めることができる。
【０２２６】
その基準の一例において、その制御は、基地局装置１および／または端末装置２のサービスやネットワークの設定に基づいて決まる。例えば、端末装置２が要求または設定されるサービスとして、ｅＭＢＢ、ＵＲＬＬＣまたはｍＭＴＣに応じて決まる。また、端末装置２が要求または設定されるネットワークスライスに関する情報に応じて決まる。
【０２２７】
その基準の一例において、その制御は、端末位置情報および／またはゾーン情報に基づいて決まる。例えば、その端末位置情報はサイドリンク通信または路車間通信に関して用いられる情報である。また、ゾーン情報は周辺に存在するＴＲＰ（Transmission  and  Reception  Point）の数で定義されてもよい。
【０２２８】
その基準の一例において、その制御は、チャネル混雑度情報に基づいて決まる。例えば、チャネル混雑度情報は、端末装置２によって測定された所定のリソース内の混雑度に関する情報であり、その情報は基地局装置１にレポートされうる。また、チャネル混雑度情報は、基地局装置１によって測定されてもよい。
【０２２９】
また、上りリンク信号波形は、端末装置２によって制御されてもよい。例えば、端末装置２は、最大送信電力を超えるかどうかに応じて、信号波形を決定することができる。その場合、基地局装置１は端末装置２が用いられうる全ての信号波形を受信処理することにより、受信することができる。
【０２３０】
＜本実施形態における上りリンク信号波形のサイドリンクへの適用＞
本実施形態で説明した内容は、サイドリンクの通信にも適用することができる。ＮＲがサイドリンク通信に対して複数の信号波形をサポートする場合、本実施形態で説明した方法により、制御することができる。換言すると、サイドリンク信号波形は所定の条件または状態によって決定することができる。例えば、既に説明したように、サイドリンク信号波形は、第１の信号波形と第２の信号波形をサポートする。すなわち、本実施形態での説明において、上りリンクはサイドリンクに読み替えることができる。例えば、上りリンク通信および上りリンク信号波形は、それぞれサイドリンク通信およびサイドリンク信号波形に読み替えることができる。
【０２３１】
上記に加えて、サイドリンク信号波形は、所定のリソースプール毎に独立に設定することができる。
【０２３２】
また、サイドリンク通信に用いられるリソース（サブフレーム、フレーム、スロット、キャリア、リソースブロックなどを含む）が第１のリソースであるか第２のリソースであるかに基づいて、サイドリンク信号波形を決定する。例えば、第１のリソースとして下りリンクのリソースである場合、サイドリンク通信は第１の信号波形を用いて送信され、第２のリソースとして上りリンクのリソースである場合、サイドリンク通信は第２の信号波形を用いて送信される。
【０２３３】
＜本実施形態における上りリンク信号波形に関する端末能力情報＞
本実施形態において、端末装置２は基地局装置１に対して、その端末装置２が有する機能や能力を示す端末能力情報を通知することができる。基地局装置１は、その端末能力情報によって、端末装置２が有する機能や能力を認識することができ、端末装置２への設定およびスケジュールのために用いられる。例えば、端末能力情報は、上りリンク信号波形に関する機能や能力を示す情報を含む。
【０２３４】
本実施形態では、所定の端末能力情報は、上りリンク信号波形毎に独立に設定することができる。
【０２３５】
例えば、所定の端末能力情報は、所定の上りリンク通信の同時送信のサポートに関する情報である。具体的には、所定の端末能力情報は、ＮＲ−ＰＵＣＣＨとＮＲ−ＰＵＳＣＨの同時送信のサポートに関する情報である。また、端末能力情報は、第１の信号波形を用いるＮＲ−ＰＵＣＣＨと第１の信号波形を用いるＮＲ−ＰＵＳＣＨの同時送信のサポートに関する情報、第１の信号波形を用いるＮＲ−ＰＵＣＣＨと第２の信号波形を用いるＮＲ−ＰＵＳＣＨの同時送信のサポートに関する情報、第２の信号波形を用いるＮＲ−ＰＵＣＣＨと第１の信号波形を用いるＮＲ−ＰＵＳＣＨの同時送信のサポートに関する情報、第２の信号波形を用いるＮＲ−ＰＵＣＣＨと第２の信号波形を用いるＮＲ−ＰＵＳＣＨの同時送信のサポートに関する情報をそれぞれ個別に定義することができる。
【０２３６】
また、同様に、サイドリンク通信をサポートする端末装置２は、上りリンク通信とサイドリンク通信の同時送信のサポートに関する情報を、信号波形毎に個別に通知することができる。
【０２３７】
また、例えば、所定の端末能力情報は、非連続リソース割り当てのサポートに関する情報である。具体的には、上りリンク通信（サイドリンク通信も含む）が非連続なリソースの割り当てをサポートするかどうかの情報は、信号波形毎に個別に通知することができる。さらに、非連続な割り当てがサポートされる場合、その端末能力情報は最大のクラスター数（リソース分割数）を通知することができる。
【０２３８】
＜応用例＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。
【０２３９】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２は、これら端末に搭載される無線通信モジュール（例えば、１つのダイで構成される集積回路モジュール）であってもよい。
【０２４０】
＜基地局に関する応用例＞
（第１の応用例）
図１９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２４１】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１９に示したように複数のアンテナ８１０を有し、複数のアンテナ８１０は、例えばｅＮＢ８００が使用する複数の周波数帯域にそれぞれ対応してもよい。なお、図１９にはｅＮＢ８００が複数のアンテナ８１０を有する例を示したが、ｅＮＢ８００は単一のアンテナ８１０を有してもよい。
【０２４２】
基地局装置８２０は、コントローラ８２１、メモリ８２２、ネットワークインタフェース８２３及び無線通信インタフェース８２５を備える。
【０２４３】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２４４】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２４５】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２４６】
無線通信インタフェース８２５は、図１９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１９に示したように複数のＲＦ回路８２７を含み、複数のＲＦ回路８２７は、例えば複数のアンテナ素子にそれぞれ対応してもよい。なお、図１９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２４７】
（第２の応用例）
図２０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２４８】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２０に示したように複数のアンテナ８４０を有し、複数のアンテナ８４０は、例えばｅＮＢ８３０が使用する複数の周波数帯域にそれぞれ対応してもよい。なお、図２０にはｅＮＢ８３０が複数のアンテナ８４０を有する例を示したが、ｅＮＢ８３０は単一のアンテナ８４０を有してもよい。
【０２４９】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１９を参照して説明したコントローラ８２１、メモリ８２２及びネットワークインタフェース８２３と同様のものである。
【０２５０】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１９を参照して説明したＢＢプロセッサ８２６と同様のものである。無線通信インタフェース８５５は、図２０に示したように複数のＢＢプロセッサ８５６を含み、複数のＢＢプロセッサ８５６は、例えばｅＮＢ８３０が使用する複数の周波数帯域にそれぞれ対応してもよい。なお、図２０には無線通信インタフェース８５５が複数のＢＢプロセッサ８５６を含む例を示したが、無線通信インタフェース８５５は単一のＢＢプロセッサ８５６を含んでもよい。
【０２５１】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２５２】
また、ＲＲＨ８６０は、接続インタフェース８６１及び無線通信インタフェース８６３を備える。
【０２５３】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２５４】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２０に示したように複数のＲＦ回路８６４を含み、複数のＲＦ回路８６４は、例えば複数のアンテナ素子にそれぞれ対応してもよい。なお、図２０には無線通信インタフェース８６３が複数のＲＦ回路８６４を含む例を示したが、無線通信インタフェース８６３は単一のＲＦ回路８６４を含んでもよい。
【０２５５】
図２０及び図２１示したｅＮＢ８００、ｅＮＢ８３０、基地局装置８２０または基地局装置８５０は、図８などを参照して説明した基地局装置１に対応し得る。
【０２５６】
＜端末装置に関する応用例＞
（第１の応用例）
図２１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２５７】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２５８】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２５９】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２１に示したように複数のＢＢプロセッサ９１３及び複数のＲＦ回路９１４を含んでもよい。なお、図２１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２６０】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２６１】
アンテナスイッチ９１５の各々は、無線通信インタフェース９１２に含まれる複数の回路（例えば、異なる無線通信方式のための回路）の間でアンテナ９１６の接続先を切り替える。
【０２６２】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２１に示したように複数のアンテナ９１６を有してもよい。なお、図２１にはスマートフォン９００が複数のアンテナ９１６を有する例を示したが、スマートフォン９００は単一のアンテナ９１６を有してもよい。
【０２６３】
さらに、スマートフォン９００は、無線通信方式ごとにアンテナ９１６を備えてもよい。その場合に、アンテナスイッチ９１５は、スマートフォン９００の構成から省略されてもよい。
【０２６４】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２１に示したスマートフォン９００の各ブロックへ電力を供給する。補助コントローラ９１９は、例えば、スリープモードにおいて、スマートフォン９００の必要最低限の機能を動作させる。
【０２６５】
（第２の応用例）
図２２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２６６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２６７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２６８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２６９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２２に示したように複数のＢＢプロセッサ９３４及び複数のＲＦ回路９３５を含んでもよい。なお、図２２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２７０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２７１】
アンテナスイッチ９３６の各々は、無線通信インタフェース９３３に含まれる複数の回路（例えば、異なる無線通信方式のための回路）の間でアンテナ９３７の接続先を切り替える。
【０２７２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２２に示したように複数のアンテナ９３７を有してもよい。なお、図２２にはカーナビゲーション装置９２０が複数のアンテナ９３７を有する例を示したが、カーナビゲーション装置９２０は単一のアンテナ９３７を有してもよい。
【０２７３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２７４】
バッテリー９３８は、図中に破線で部分的に示した給電ラインを介して、図２２に示したカーナビゲーション装置９２０の各ブロックへ電力を供給する。また、バッテリー９３８は、車両側から給電される電力を蓄積する。
【０２７５】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２７６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２７７】
なお、以下のような構成も本開示の技術的範囲に属する。
（１）
基地局装置と通信する端末装置であって、
前記基地局装置から通知される制御情報に基づいて、第１の信号波形または第２の信号波形を用いて上りリンクチャネルの送信を行う無線送信部を備え、
前記第１の信号波形はマルチキャリア信号であり、前記第２の信号波形はシングルキャリア信号である、端末装置。
（２）
前記制御情報は、前記上りリンクチャネルの送信に用いられるフレーム構成に関する情報であり、
前記無線送信部は、前記フレーム構成に基づいて前記第１の信号波形または前記第２の信号波形を決める、前記（１）に記載の端末装置。
（３）
前記制御情報は、前記上りリンクチャネルの送信に用いられるサブキャリア間隔に関する情報であり、
前記無線送信部は、前記サブキャリア間隔に基づいて前記第１の信号波形または前記第２の信号波形を決める、前記（１）または前記（２）のいずれか１項に記載の端末装置。
（４）
前記制御情報は、前記上りリンクチャネルの送信における空間多重に関する送信モードに関する情報であり、
前記無線送信部は、前記空間多重に関する送信モードに基づいて前記第１の信号波形または前記第２の信号波形を決める、前記（１）から前記（３）のいずれか１項に記載の端末装置。
（５）
前記制御情報は、前記上りリンクチャネルの送信における送信時間間隔の長さに関する情報であり、
前記無線送信部は、前記送信時間間隔の長さに基づいて前記第１の信号波形または前記第２の信号波形を決める、前記（１）から前記（４）のいずれか１項に記載の端末装置。
（６）
前記制御情報は、前記上りリンクチャネルの送信におけるスケジュールに関する送信モードに関する情報であり、
前記無線送信部は、前記スケジュールに関する送信モードに基づいて前記第１の信号波形または前記第２の信号波形を決める、前記（１）から前記（５）のいずれか１項に記載の端末装置。
（７）
前記制御情報は、前記上りリンクチャネルの送信に用いられる周波数帯に関する情報であり、
前記無線送信部は、前記周波数帯に基づいて前記第１の信号波形または前記第２の信号波形を決める、前記（１）から前記（６）のいずれか１項に記載の端末装置。
（８）
前記制御情報は、前記上りリンクチャネルに対する信号波形が第１の信号波形または第２の信号波形であるかを示す信号波形通知情報であり、
前記信号波形通知情報は、前記上りリンクチャネルの割り当てに用いられる物理層の割り当て情報に含まれて通知され、
前記無線送信部は、前記信号波形通知情報に基づいて前記第１の信号波形または前記第２の信号波形を決める、前記（１）から前記（７）のいずれか１項に記載の端末装置。
（９）
前記制御情報は、前記上りリンクチャネルの割り当てに用いられる物理層の割り当て情報であり、
前記無線送信部は、前記割り当て情報のフォーマットに基づいて前記第１の信号波形または前記第２の信号波形を決める、前記（１）から前記（８）のいずれか１項に記載の端末装置。
（１０）
前記制御情報は、前記上りリンクチャネルの割り当てに用いられる物理層の割り当て情報であり、
前記無線送信部は、前記割り当て情報が検出されるサーチスペースに基づいて前記第１の信号波形または前記第２の信号波形を決める、前記（１）から前記（９）のいずれか１項に記載の端末装置。
（１１）
前記無線送信部は、前記上りリンクチャネルの送信に用いられるフレームの種類に基づいて前記第１の信号波形または前記第２の信号波形を決める、前記（１）から前記（１０）のいずれか１項に記載の端末装置。
（１２）
端末装置と通信する基地局装置であって、
前記端末装置に通知する制御情報に基づいて、第１の信号波形または第２の信号波形を用いて送信される上りリンクチャネルの受信を行う無線受信部を備え、
前記第１の信号波形はマルチキャリア信号であり、前記第２の信号波形はシングルキャリア信号である、基地局装置。
（１３）
基地局装置と通信する端末装置で用いられる通信方法であって、
前記基地局装置から通知される制御情報に基づいて、第１の信号波形または第２の信号波形を用いて上りリンクチャネルの送信を行うステップを有し、
前記第１の信号波形はマルチキャリア信号であり、前記第２の信号波形はシングルキャリア信号である、通信方法。
（１４）
端末装置と通信する基地局装置で用いられる通信方法であって、
前記端末装置に通知する制御情報に基づいて、第１の信号波形または第２の信号波形を用いて送信される上りリンクチャネルの受信を行うステップを有し、
前記第１の信号波形はマルチキャリア信号であり、前記第２の信号波形はシングルキャリア信号である、通信方法。
【符号の説明】
【０２７８】
１      基地局装置
１０１    上位層処理部
１０１１    設定部
１０１３    通信制御部
１０３    制御部
１０５    受信部
１０５１    復号化部
１０５３    復調部
１０５５    多重分離部
１０５７    無線受信部
１０５９    チャネル測定部
１０７    送信部
１０７１    符号化部
１０７３    変調部
１０７５    多重部
１０７７    無線送信部
１０７９    下りリンク参照信号生成部
１０９    送受信アンテナ
２      端末装置
２０１    上位層処理部
２０１１    設定部
２０１３    通信制御部
２０３    制御部
２０５    受信部
２０５１    復号化部
２０５３    復調部
２０５５    多重分離部
２０５７    無線受信部
２０５９    チャネル測定部
２０７    送信部
２０７１    符号化部
２０７３    変調部
２０７５    多重部
２０７７    無線送信部
２０７９    上りリンク参照信号生成部
２０９    送受信アンテナ
【図１】
2018074488.tif 000003
【図２】
2018074488.tif 000004
【図３】
2018074488.tif 000005
【図４】
2018074488.tif 000006
【図５】
2018074488.tif 000007
【図６】
2018074488.tif 000008
【図７】
2018074488.tif 000009
【図８】
2018074488.tif 000010
【図９】
2018074488.tif 000011
【図１０】
2018074488.tif 000012
【図１１】
2018074488.tif 000013
【図１２】
2018074488.tif 000014
【図１３】
2018074488.tif 000015
【図１４】
2018074488.tif 000016
【図１５】
2018074488.tif 000017
【図１６】
2018074488.tif 000018
【図１７】
2018074488.tif 000019
【図１８】
2018074488.tif 000020
【図１９】
2018074488.tif 000021
【図２０】
2018074488.tif 000022
【図２１】
2018074488.tif 000023
【図２２】
2018074488.tif 000024